(57)【特許請求の範囲】
【請求項１】
金属パイプに金属薄板を螺旋状に巻回してまたは金属パイプに一部に孔を設けた円形の金属薄板を複数固定して形成し、前記金属薄板に触媒を担持したフィンと、前記金属パイプ内に装着した触媒ヒータと、前記フィンと前記触媒ヒータを収容するパイプ状のケースと、前記ケースに空気が流入する入口パイプと、前記ケースから空気が排出する出口パイプを備え、前記入口パイプを前記ケースに略平行に近接させて設けるとともに、前記入口パイプとケースの間に空気層を設け、前記入口パイプとケースを断熱材で覆った脱臭装置。
【請求項２】
入口パイプがケースに接続される位置まで、触媒ヒータの発熱部が位置するようにした請求項１記載の脱臭装置。
【請求項３】
触媒ヒータの一端をケース外まで延長し、前記ケース外における触媒ヒータの形状を略Ｊ型あるいは略Ｌ型とした請求項１または２記載の脱臭装置。
【請求項４】
ケースの入口パイプ側に、温度センサーと受け部材を設け、前記温度センサーの先端部を、前記受け部材に嵌まり込むように固定した請求項１〜３のいずれか１項に記載の脱臭装置。
【請求項５】
ケースの入口パイプ側に、温度センサーと貫通穴とネジ穴を有するセンサー固定部材を設け、前記センサー固定部材に温度センサーを固定した請求項１〜３のいずれか１項に記載の脱臭装置。
【請求項６】
ケースの入口パイプ側に、温度センサーと凹部と固定ボルトを設け、温度センサーの先端部を前記凹部に当接するように前記固定ボルトに固定した請求項１〜３のいずれか１項に記載の脱臭装置。
【請求項７】
断熱材は複数の成形品からなり、内側に薄い断熱シートを巻いた請求項１〜６のいずれか１項に記載の脱臭装置。
【請求項８】
ケースにナットを固定し、前記ナットの上方の断熱材には貫通穴を開け、ボルトとスペーサーでケースをフレームに固定するようにした請求項１〜７のいずれか１項に記載の脱臭装置。
【請求項９】
入口パイプ、出口パイプの各々の先端部に取付け板を設け、入口パイプ、出口パイプをそれぞれ連結した後、取付け板によりパイプ状のケースを固定するようにした請求項１〜８のいずれか１項に記載の脱臭装置。
【請求項１０】
パイプ状のケースの蓋の数箇所を縦方向に延ばして吊り下げ部を形成した請求項１〜９のいずれか１項に記載の脱臭装置。
【請求項１１】
生ごみを収容するタンクと、生ごみを加熱する加熱部と、前記タンク内と請求項１〜１０のいずれか１項に記載の脱臭装置とを接続する排気通路を備えた生ごみ処理機。
【発明の詳細な説明】
【０００１】
【発明の属する技術分野】
本発明は台所等で出る生ごみを処理する生ごみ処理機に関するものである。
【０００２】
【従来の技術】
従来の厨芥処理機を図８、図９、図１０、図１１を用いて説明すると、１は生ごみ処理機本体、２は生ごみを収納するタンクで、略中央部に回転軸３、生ごみを撹拌する撹拌羽根４を備えている。タンク２の上部に生ごみを加熱する加熱手段５が配してある。加熱手段５は乾燥用ヒータ６及び、乾燥ファン７から構成され、熱風を生ごみに当てて生ごみの表面を加熱する。尚、乾燥ファン７は乾燥モータ８により回転駆動される。
【０００３】
生ごみ処理機本体１内にはタンク２内から排気通路９が形成され、排気通路９内には、金属パイプ１０に金属薄板を螺旋状に巻回して形成したフィン１１と触媒ヒータ１２からなる脱臭装置１３が設置されている。前記フィンの表面には触媒が担持されている。金属パイプ１０の中に触媒ヒータ１２を装着した状態でフィン１１と触媒ヒータ１２はケースに収容されている。触媒ヒータ１２の発熱部は封口部の温度上昇を抑えるために封口部からの距離を保ってケース１４内に収めるのが一般的である。ケース１４の両端には夫々、入口パイプ１５、出口パイプ１６があり、入口パイプ１５は断熱材１７で覆われている。また、ケース１４は成型された断熱材１８で覆われている。断熱材１８には取付け部１９を逃げるための切り込み１８ａと、入口パイプ１５を逃げるための凹み部１８ｂが設けてある。
【０００４】
タンク２の天面には吸気口２０、排気通路９の後方には排気ファン２１が設置されている。２２は回転軸３を駆動する駆動モータ、２３は制御装置である。図１１は大型脱臭装置を示すが、ケース１４の下端付近には温度センサー２４が固定板２５で取り付けられている。
【０００５】
上記の様な従来の生ごみ処理機において、生ごみ処理機本体１の運転（生ごみの加熱）と同時に脱臭装置１３の触媒ヒータ１２により触媒を担持したフィン１１が加熱され、排気ファン２１も作動すると、吸気口２０から外気が吸引され、タンク２内の臭気を含む空気を脱臭装置１３で脱臭し、排気口２６より外部に排気する。
【０００６】
【発明が解決しようとする課題】
しかしながら、上記生ごみ処理機の脱臭装置は金属パイプ中に装着した触媒ヒータでフィンを加熱しているため、フィンの温度分布が均一でなく入り口側の温度が上がりにくいという課題があった。また、温度センサーの設置位置が不安定という課題もあった。更に、ケース側面に設けた取付け部で脱臭装置を生ごみ処理機本体内に固定する構成であるため、ケース周囲の断熱材の形状が複雑になり、また、入口パイプ、出口パイプの接続位置がずれ易いという課題があった。
【０００７】
本発明は上記課題を解決するもので、脱臭装置のフィンの温度を均一にし、ケース側面に設けた温度センサーの固定を確実にし、脱臭装置の固定を容易かつ、入口パイプ、出口パイプの接続位置がずれ難くすることを目的とするものである。
【０００８】
【課題を解決するための手段】
上記の目的を達成するために本発明は、金属パイプに金属薄板を螺旋状に巻回してまたは金属パイプに一部に孔を設けた円形の金属薄板を複数固定して形成し、前記金属薄板に触媒を担持したフィンと、前記金属パイプ内に装着した触媒ヒータと、前記フィンと前記触媒ヒータを収容するパイプ状のケースと、前記ケースに空気が流入する入口パイプと、前記ケースから空気が排出する出口パイプを備え、前記入口パイプを前記ケースに略平行に近接させて設けるとともに、前記入口パイプとケースの間に空気層を設け、前記入口パイプとケースを断熱材で覆った脱臭装置で、フィンの温度を均一にする脱臭装置を提供できる。
【０００９】
また、パイプ状のケースの入口パイプ側に温度センサーを設け、前記温度センサーの先端部は前記パイプの状ケースに設けた受け部材に嵌まり込むように固定することにより、温度センサーの設置位置を確実にした脱臭装置を提供できる。更に、パイプ状のケースにナットを固定し、ナットの上方の断熱材には貫通穴を開け、ボルトとスペーサーでパイプ状のケースをフレームに固定する構成にすることにより、断熱材の加工が容易でケースの固定を容易にした脱臭装置を提供できる。
【００１０】
【発明の実施の形態】
本発明の請求項１記載の手段によれば、金属パイプに金属薄板を螺旋状に巻回してまたは金属パイプに一部に孔を設けた円形の金属薄板を複数固定して形成し、前記金属薄板に触媒を担持したフィンと、前記金属パイプ内に装着した触媒ヒータと、前記フィンと前記触媒ヒータを収容するパイプ状のケースと、前記ケースに空気が流入する入口パイプと、前記ケースから空気が排出する出口パイプを備え、前記入口パイプを前記ケースに略平行に近接させて設けるとともに、前記入口パイプとケースの間に空気層を設け、前記入口パイプとケースを断熱材で覆った脱臭装置で、入口パイプから入る空気はパイプ状のケースからの熱伝導により暖められてケース内のフィンの間を流れるので、入口パイプ側のフィンの温度降下は少なくなり、フィン全体を所定の温度域に保つことができ、高い脱臭性能の脱臭装置を提供できる。
【００１１】
本発明の請求項２記載の手段によれば、入口パイプがケースに接続される位置まで、触媒ヒータの発熱部が位置するようにしたもので、入口パイプ側のフィンの温度を高温に保ちやすくなり、高い脱臭性能の脱臭装置を提供できる。
【００１２】
本発明の請求項３記載の手段によれば、触媒ヒータの一端をケース外まで延長し、前記ケース外における触媒ヒータの形状を略Ｊ型あるいは略Ｌ型としたもので、脱臭装置の高さを低くでき、触媒ヒータ先端の封口部の温度上昇を抑え、また、触媒ヒータとケースとのシールが不良となった場合、水滴が触媒ヒータの端子に伝って絶縁異常となることもない脱臭装置を提供できる。
【００１３】
本発明の請求項４記載の手段によれば、ケースの入口パイプ側に、温度センサーと受け部材を設け、前記温度センサーの先端部を、前記受け部材に嵌まり込むように固定したもので、温度センサーの固定を確実にし、フィンの温度を均一に保ち、高い脱臭性能の脱臭装置を提供できる。
【００１４】
本発明の請求項５記載の手段によれば、ケースの入口パイプ側に、温度センサーと貫通穴とネジ穴を有するセンサー固定部材を設け、前記センサー固定部材に温度センサーを固定したもので、簡単な構造で温度センサーの固定を確実にし、フィンの温度を均一に保ち、高脱臭性能の脱臭装置を提供できる。
【００１５】
本発明の請求項６記載の手段によれば、ケースの入口パイプ側に、温度センサーと凹部と固定ボルトを設け、温度センサーの先端部を前記凹部に当接するように前記固定ボルトに固定したもので、簡単な構造で温度センサーの固定を確実にし、フィンの温度を均一に保ち、高い脱臭性能の脱臭装置を提供できる。
【００１６】
本発明の請求項７記載の手段によれば、断熱材は複数の成形品からなり、内側に薄い断熱シートを巻いたもので、ケースの断熱効果を大幅に高め、フィンの温度を均一に保ち、高い脱臭性能の脱臭装置を提供できる。
【００１７】
本発明の請求項８記載の手段によれば、パイプ状のケースにナットを固定し、ナットの上方の断熱材には貫通穴を開け、ボルトとスペーサーでケースをフレームに固定する構成とすることにより、ケース周囲の断熱材の形状とケースの固定手段を簡素化することができる。
【００１８】
本発明の請求項９記載の手段によれば、入口パイプ、出口パイプの各々の先端部に取付け板を設け、入口パイプ、出口パイプをそれぞれ連結した後、取付け板によりケースを固定する構成とすることにより、脱臭装置の固定を容易かつ、入口パイプ、出口パイプの接続位置がずれ難い脱臭装置を提供できる。
【００１９】
本発明の請求項１０記載の手段によれば、パイプ状のケースの蓋の数箇所を縦方向に延ばして吊り下げ部を形成することにより、生ごみ処理機本体への固定が容易な脱臭装置を提供できる。
【００２０】
本発明の請求項１１記載の手段によれば、生ごみを収容するタンクと、生ごみを加熱する加熱部と、前記タンク内と請求項１〜１０のいずれか１項に記載の脱臭装置とを接続する排気通路を備えた構成とすることにより、フィンの温度を均一にし、ケース側面に設けた温度センサーの固定を確実にし、脱臭装置の固定を容易かつ、入口パイプ、出口パイプの接続位置がずれ難い生ごみ処理機を提供できる。
【００２１】
【実施例】
以下、本発明の第１の実施例について添付図面をもとに説明する。なお、従来例と同一構成部品については同一符号を付して、その説明を省略する。図１において、ケース１４内に金属パイプ１０に金属薄板を螺旋状に巻回してフィン１１を形成し、フィン１１の表面には触媒を担持したフィン触媒１１ａを収納し、金属パイプ１０内には触媒ヒータ１２を装着してある。ケース１１の下方には入口パイプ１５、上方には出口パイプ１６を備え、入口パイプ１５をケース１４とを略平行に近付けて設けている。また、入口パイプ１５とケース１４の周囲は断熱材１７ａ、１８で囲まれている。
【００２２】
上記構成において、入口パイプ１５から入る空気はケース１４からの熱伝導により暖められてケース１４内に入り、フィン１１の間を流れるので、入口パイプ１４側のフィン１４の温度降下は少なくなり、フィン１１全体を所定の温度域に保つことができ、高い脱臭性能の脱臭装置を提供できる。
【００２３】
また、触媒ヒータ１２の発熱部１２ａをケース１４の端面に近い部分からもうけた構成としている。この構成により、入口パイプ１５側のフィン１１の温度を高温に保ちやすくなり、高い脱臭性能の脱臭装置を提供できる。
【００２４】
また、触媒ヒータ１２の一端は延長して略Ｌ型に曲げた形状にしてある。これにより、脱臭装置の高さを低くでき、触媒ヒータ１２先端の封口部の温度上昇を抑え、また、触媒ヒータ１２とケース１４とのシールが不良となった場合、水滴が触媒ヒータ１２の端子に伝って絶縁異常となることもない。
【００２５】
また、断熱材１８は複数の成形品からなり、断熱材１８の内側には薄い断熱シート３３を巻いた構成している。成形品の断熱材１８は寸法精度が出にくく、ケース１４との間に隙間ができ易い。本構成によれば、断熱材１８とケース１４との間に隙間を埋めケース１４の断熱特性を大幅に高め、フィンの温度を均一に保ち、高い脱臭性能の脱臭装置を提供できる。
【００２６】
次に、本発明の第２の実施例について図２をもとに説明する。なお、従来例と同一構成部品については同一符号を付して、その説明を省略する。図２において、ケースの入口パイプ１５側に温度センサー２４を設けている。ケース１４には半球状の凹みを持った受け部材２７と略Ｚ状の固定部材２８が設けてあり、温度センサー２４の先端部はケース１４に設けた受け部材２７に嵌まり込み、温度センサー２４のフランジ部は固定部材２８にネジで固定されている。
【００２７】
上記構成により、温度センサー２４は確実に固定され、温度センサー２４の先端部が受け部材２７の凹みに嵌まり込んでいるので、温度センサー２４の受感特性の向上が図れる。
【００２８】
次に、本発明の第３の実施例について図３をもとに説明する。図３において、ケース１４の入口パイプ１５側に温度センサー２４の挿入孔２９ａとネジ穴２９ｂを明けたセンサー固定部材２９を設けている。挿入孔２９ａに温度センサー２４を挿入し、温度センサー２４のフランジ部をネジ穴２９ｂに固定して、温度センサー２４はケース１４に固定される。この構成とすることにより、簡単な構造で温度センサーの固定を確実にし、第五の実施例と同様に、温度センサー２４の受感特性の向上が図れる。
【００２９】
次に、本発明の第４の実施例について図４をもとに説明する。図４において、ケース１４の入口パイプ１５側に凹み３０と固定ボルト３１を設け、温度センサー２４の先端部を凹み３０に当接し、温度センサー２４のフランジ部をスペーサー３２を介して固定ボルト３１に固定している。この構成とすることにより、簡単な構造で温度センサーの固定を確実にし、第五の実施例と同様に、温度センサー２４の受感特性の向上が図れる。
【００３０】
次に、本発明の第５の実施例について図５をもとに説明する。図５において、ケース１４にナット３４を固定し、ナット３４の上方の断熱材１８には貫通穴を開け、ボルト３５とスペーサー３６でケース１４をフレーム３７に固定する構成としている。本構成によれば、断熱材１８は従来のように切り込みや逃がし用の凹みが不要となり、形状を簡素化できる。またケース１４のフレーム３７への固定も容易にできる。
【００３１】
次に、本発明の第６の実施例について図６をもとに説明する。入口パイプ１５、出口パイプ１６の各々の先端部に取付け板１５ａ、１６ａを設け、連結パイプ３８、排気パイプ３９にも各々取付け板１５ｂ、１６ｂを設けている。入口パイプ１５、出口パイプ１６をそれぞれ連結パイプ３８、排気パイプ３９と耐熱ホース４０ａ、４０ｂで連結した後、取付け板１５ａと取付け板１５ｂ、取付け板１６ａと取付け板１６ｂをネジで固定する。本構成によれば、入口パイプ、出口パイプの接続位置がずれないで確実に連結できる脱臭装置を提供できる。
【００３２】
次に、本発明の第７の実施例について図７をもとに説明する。図７において、ケース１４の蓋４１の数箇所を縦方向に延ばして吊り下げ部４１ａを形成している。生ごみ処理機本体のフレームには、固定部４２を形成している。入口パイプ１５、出口パイプ１６をそれぞれ連結パイプ、排気パイプと連結した後（連結パイプ、排気パイプは図示せず）、吊り下げ部４１ａを固定部４２にネジで固定する。本構成によれば、断熱材１８は従来のように切り込みや逃がし用の凹みが不要となり、形状を簡素化できる。また、ごみ処理機本体への固定が容易な脱臭装置を提供できる。
【００３３】
【発明の効果】
本発明によれば、脱臭装置のフィンの温度を均一にし、ケース側面に設けた温度センサーの固定を確実にし、脱臭装置の固定を容易かつ、入口パイプ、出口パイプの接続位置がずれ難くできる。
【図面の簡単な説明】
【図１】本発明の第１の実施例の脱臭装置の断面図
【図２】本発明の第２の実施例の脱臭装置の要部断面図
【図３】本発明の第３の実施例の脱臭装置の要部断面図
【図４】本発明の第４の実施例の脱臭装置の要部断面図
【図５】本発明の第５の実施例の脱臭装置の要部断面図
【図６】本発明の第６の実施例の脱臭装置の斜視図
【図７】本発明の第７の実施例の脱臭装置の斜視図
【図８】従来の生ごみ処理機の断面図
【図９】同脱臭装置の断面図
【図１０】同脱臭装置の斜視図
【図１１】同別の脱臭装置の斜視図
【符号の説明】
１１  フィン
１２  触媒ヒータ
１４  ケース
１５  入口パイプ
１６  出口パイプ
１７、１８  断熱材
２４  温度センサー
２７  受け部材
２９  センサー固定部材
３３  断熱シート
【図１】
0003952784.tif 000002
【図２】
0003952784.tif 000003
【図３】
0003952784.tif 000004
【図４】
0003952784.tif 000005
【図５】
0003952784.tif 000006
【図６】
0003952784.tif 000007
【図７】
0003952784.tif 000008
【図８】
0003952784.tif 000009
【図９】
0003952784.tif 000010
【図１０】
0003952784.tif 000011
【図１１】
0003952784.tif 000012